(57)【要約】【課題】堅牢で、薄型で、取り付け取り外し・配線接続が容易な回路付き液晶表示装置を提供する。【解決手段】液晶モジュール１の背面の固定用突起２１、２２に、その先端を結んで出来る平面より液晶モジュール背面側にベース主面３１０が位置するようにベース３１を固定し、ベース３１に回路基板３２、３３を固定する。またデジタル基板においてはベース一端に寄せて配置し、段部３１１側の辺に調整手段３５、３６を、透孔部３１２側の辺に沿って信号授受の端子部３７を配置する。【選択図】　　　　図１
2004144910.tif 000002
【特許請求の範囲】
【請求項１】
背面に複数の固定用突起を有した照明手段を液晶セルの背面に一体にしてなる液晶モジュールと、該液晶モジュールの背面に固定された回路手段を有する液晶表示装置において、前記回路手段はベース上に固定された回路基板を有しており、前記ベースは前記液晶モジュールの背面に沿う主面と、前記固定用突起の略先端に被さるように前記主面から起こされ当該固定用突起に固定された段部と、別の前記固定用突起を貫通する透孔部とを有し、当該ベースの前記主面が前記複数の固定用突起の先端を結んで出来る平面より液晶モジュール背面側に位置するように取り付けられていることを特徴とする液晶表示装置。
【請求項２】
背面に複数の固定用突起を有した照明手段を液晶セルの背面に一体にしてなる液晶モジュールと、該液晶モジュールの背面に固定された回路手段を有する液晶表示装置において、前記回路手段はベース上に固定された回路基板を有しており、前記ベースは前記液晶モジュールの背面に沿う主面と、前記固定用突起の略先端に被さるように前記主面から起こされ当該固定用突起に固定された段部と、別の前記固定用突起を貫通する透孔部とを有し、当該ベースの前記主面が前記複数の固定用突起の先端を結んで出来る平面より液晶モジュール背面側に位置するように取り付けられ、前記ベースの固定用突起を貫通する前記透孔部においては、ベースに固定された基板カバーが前記固定用突起に固定されていることを特徴とする液晶表示装置。
【請求項３】
前記回路手段は、アナログ信号処理回路部分と、デジタル信号処理回路部分とを有していることを特徴とする請求項１記載の液晶表示装置。
【請求項４】
前記回路基板は、前記ベースの前記段部側の辺において段部と当該回路基板の間に空隙を有するように、固定用突起を貫通する前記透孔部側に寄せて配置され、当該回路基板の段部側の辺と透孔部側の辺において、一方の辺に沿って信号授受の端子部を複数有し、他方の辺に沿って調整手段が設けられていることを特徴とする請求項２記載の液晶表示装置。
【請求項５】
前記回路基板は、アナログ信号を処理する回路からなるアナログ基板と、デジタル信号の処理回路を具備したデジタル基板とを有し、前記信号授受の端子部及び前記調整手段はともに前記デジタル基板に設けられていることを特徴とする請求項４記載の液晶表示装置。
【請求項６】
前記デジタル基板の前記調整手段は、調整等が前記ベースの中で行えるように前記段部に向かう辺に配置され、前記デジタル基板の１辺は前記ベースの端縁近辺に当該端縁に沿うように配置され、前記信号授受の端子部は、デジタル基板のベース端縁に沿った辺の近傍に設けられ、ベースの折り曲げ部又はベース端縁に略直立して設けられたガイドで直接に又は間接的に端子部が補強されていることを特徴とする請求項５記載の液晶表示装置。
【請求項７】
液晶セルと照明手段とからなり背面に複数の固定用突起を有した液晶モジュールと、該液晶モジュールの背面に固定された回路手段を有する液晶表示装置において、前記回路手段は、主面が固定用突起の先端を結んで出来る平面より液晶モジュール背面側に位置するように取り付けられたベース上に固定された回路基板を有しており、ベースは前記固定用突起の略先端に被さる固定部を隅部に設けた段部と、段部と対向する隅部に別の前記固定用突起を貫通するような透孔部とを有し、段部で固定用突起に固定されるとともに前記透孔部においてベースに固定された回路基板を覆う部品で前記固定用突起に固定され、回路基板として少なくとも透孔部側に寄せて配置され、段部側の辺に調整手段を持ち、透孔部側に辺に沿って配置された信号授受の端子部を有したデジタル基板を有したことを特徴とする液晶表示装置。
【発明の詳細な説明】
【０００１】
【発明の属する技術分野】
本発明は特に付加的な機能の回路基板を有するに好適な液晶表示装置に関する。
【０００２】
【従来の技術】
従来より、いわゆる液晶モジュールは液晶のドライバとドライバコントローラを具備して構成しており、液晶駆動に特有な信号を外部から与える必要があった。然しながら、このような構成は、例えばパーソナルコンピュータなどのように、その装置自体しか使用しない、若しくはその装置を介して他の装置と接続して表示を行わせる場合には好都合であるが、ＶＴＲや測定器のように直接、表示信号（映像信号）を出力している機器への接続や、ＣＲＴなどに代わってＴＶ信号などを受けて表示をしようとすると、それらの表示信号を液晶駆動に適合した表示信号に変換しなければならない。
【０００３】
このような表示信号処理基板等は、機器の中で持つと汎用性に欠けるので、液晶モジュールの外付けで持つのが好ましく、例えば液晶モジュールの背面に固定される（特許文献１参照）。
【０００４】
【特許文献１】
特開２００１−２７２６５９号公報明細書
【０００５】
【発明が解決しようとする課題】
ところが、液晶モジュールにおける背面照明は、インバータで駆動される冷陰極線管などが多く、またその光の利用効率をあげるため反射板などを用いる。そのため回路基板を液晶モジュールに固定するには、インバータの電磁影響と、回路基板の短絡又は放電事故を配慮しなければならない。照明手段による照明を効率よく且つ薄型に保つためには、とりわけ大型の液晶表示においては照明手段の形状は自ずと平板状に定まる。これに回路基板を固定するからといって照明手段の外形を加工するのは照明効率が犠牲になるので好ましくない。そこで、照明手段の背面に基板固定用の突起（ボス）を設けて、反射板から回路基板を離して固定するのが良いことが判っている。そのような構造にした場合、回路基板が固定用突起のために大きさが拘束され、あるいは回路基板には接続線などが多いのでその端子接続等の作業性確保のため、基板取り付けが煩雑になる事が多い。また、液晶モジュール背面から突出して取り付けられるので、固定した基板の回路パターンが剥離したり、部品が突出しているために搬送中などに他のものにあたって損傷したり、あるいは基板部品のために液晶表示装置としての奥行きが厚くなって不都合であった。
【０００６】
【課題を解決するための手段】
本発明は上記の点に鑑みてなされたもので、背面に複数の固定用突起を有した照明手段を液晶セルの背面に一体にしてなる液晶モジュールと、液晶モジュールの背面に固定された回路手段を有し、回路手段はベース上に固定された回路基板を有しており、ベースは液晶モジュールの背面に沿う主面と、固定用突起の略先端に被さるように主面から起こされその固定用突起に固定された段部と、別の固定用突起を貫通する透孔部とを有し、ベースの主面が固定用突起の先端を結んで出来る平面より液晶モジュール背面側に位置するように取り付けられたものである。
【０００７】
そしてより好ましくは、そのベースの固定用突起を貫通する透孔部においては、ベースに固定された基板カバーが固定用突起に固定されており、回路手段は、アナログ信号処理回路部分と、デジタル信号処理回路部分とを有したものである。
【０００８】
さらに、あるいは回路基板は、ベースの段部側の辺において段部と回路基板の辺の間に空隙を有するように固定用突起を貫通する透孔部側に寄せて配置され、段部側の辺と透孔部側の辺において、一方の辺に沿って信号授受の端子部を複数有し、他方の辺に沿って調整手段が設けられている。
【０００９】
また、より好ましく回路基板は、アナログ信号を処理する回路からなるアナログ基板と、デジタル信号の処理回路を具備したデジタル基板とを有し、信号授受の端子部及び調整手段はデジタル基板に設けられており、あるいはまたデジタル基板は、調整手段がベースの中で行えるように段部との間に空隙を有する辺に配置され、デジタル基板の信号授受の端子部はベースの一辺に沿うように端縁付近に配置され、ベースの折り曲げ部又はベース端縁に略直立して設けられたガイドで直接に又は間接的に端子部が補強されているものである。
【００１０】
また本発明は、液晶セルと照明手段とからなり背面に複数の固定用突起を有した液晶モジュールと、液晶モジュールの背面に固定された回路手段を有する液晶表示装置において、回路手段は、主面が固定用突起の先端を結んで出来る平面より液晶モジュール背面側に位置するように取り付けられたベース上に固定された回路基板を有しており、ベースは固定用突起の略先端に被さる固定部を隅部に設けた段部と、段部と対向する隅部に別の固定用突起を貫通するような透孔部とを有し、段部で固定用突起に固定されるとともに透孔部においてベースに固定された回路基板を覆う部品で別の固定用突起に固定され、回路基板として少なくとも透孔部側に寄せて配置され、段部側の辺に調整手段を持ち、透孔部側に辺に沿って配置された信号授受の端子部を有したデジタル基板を有したものである。
【００１１】
【発明の実施の形態】
図１は本発明実施例の液晶表示装置の側面断面図で、図２は図１のＡ方向から観察した回路手段の斜視図、図３は図１のＢ方向から観察した回路手段の要部斜視図、図４は回路手段の基板カバー（覆う部品）を外した状態の平面図（集積回路素子などの搭載電子部品と回路パターンを除く）である。
【００１２】
これらの図において、１０は周辺に駆動素子（液晶ドライバー等：図示せず）を有した液晶セルである。本発明は、液晶セル１０の大きさが有効画面対角１５インチ以上、より好ましくは対角１９インチ以上の大型画面において、特に効果的である。１１は背面に複数の固定用突起２１、２２を有した照明手段で、内部に線状光源１１１を多数有し、反射面１１２で覆われて、液晶セル１０の背面に一体構成されている。液晶セル１０と照明手段１１は分離可能に構成されていてもよいが、両者で液晶モジュール１を構成している。線状光源１１１を点灯するためのインバータ１１３は反射面１１２の背面に設けられている。
【００１３】
固定用突起２１、２２は、例えば照明手段１１の反射面又は照明手段１１を支えるフレームなどに設けられた金属製のボスからなり、高さ５〜２０ｍｍの支柱で、中央にタッピング（螺子きり）された孔を有している。そして固定用突起を便宜上、上側固定突起２１と下側固定用突起２２と呼ぶが、それぞれ２つずつ４本からなり、４本の固定用突起２１、２２の先端を結ぶと液晶モジュール１の主背面に平行な一平面が形成できるよう先端の高さが調整されている。
【００１４】
３は液晶モジュール１の背面に固定された回路手段で、図２にその斜視図を示している。回路手段３は、ベース３１と、回路基板３２、３３と、基板カバー（基板を覆う部品）３４からなり、ユニット化が可能になっている。
【００１５】
ベース３１は、鉄、アルミニウム、銅、導電性樹脂成型板、などからなる成型平板からなり、液晶モジュール１の背面に沿う比較的広い面積の平面状の主面３１０を有している。そして図１の上側に向かって、固定用突起２１の略先端に被さるように主面３１０から起こされ段部３１１を設けている。段部３１１にはベース３１の隅部における固定用突起のタップ穴に相当する箇所に止め孔からなる固定部３１１１を有してなり、固定用突起２１にビス３１１２などでベース３１自身を固定している。段部３１１は図のように上側一辺に沿って長尺に設けても良いが、固定用突起２１はベース３１の隅部に対応するように配置されるので、固定部３１１１だけ切起こしによって段部を構成しても良い。
【００１６】
またベース３１の図１における下側の隅には、図３に示すように、その主面３１０に、別の固定用突起２２を貫通する透孔部３１２を有している。これによりベース３１の主面３１０が固定用突起２１、２２の先端を結んで出来る平面より液晶モジュール背面側に位置するように取り付けられている。なお、ベース３１の固定用突起を貫通する透孔部３１２においては、ベース３１に固定された基板カバー３４が折り曲げられた舌片３４１において固定用突起２２にビス３１１３などで固定されている。
【００１７】
このように、ベース３１の一方は、固定用突起２１の上に直接配置固定されるので、堅牢に支持できる。またベース３１の他方は固定用突起２２の下に配置されるので装置全体の厚みを薄くし、更に後述する信号授受の端子部のための開口空間確保が出来る。またベース３１を中心に基板カバー３４と共にユニット化できるので、電磁シールドが可能である。
【００１８】
回路手段３は、アナログＲＧＢ信号受信部、ビデオ信号受信部、ビデオ信号デコーダなどのアナログ信号処理回路部分と、デジタル信号受信部、デジタル映像信号送信部などのデジタル信号処理回路部分とＡ／Ｄコンバータ、スケーラなどアナログ・デジタル両信号を扱う部分からなり、基本的に他の機器から送られてきた信号を液晶モジュールで表示するに適した信号に処理する回路からなっている。そこで、ベース３１に固定された回路基板は、アナログ信号を処理する回路からなるアナログ基板３３と、デジタル信号の処理回路を有したデジタル基板３２とを有している。とりわけデジタル基板３２においては、ＲＳ２３２Ｃ端子とかネット端子、スイッチングボードインターフェイス端子などの信号授受の端子部３７と温度や空調のセンサー端子、ビットセレクト、ターミネーション選択スイッチなどの信号授受又は信号処理場の調整手段３５、３６を有している。信号授受又は信号処理場の調整手段は、センサーそのものでなくてもセンサー等のコネクタ３５やスライドスイッチ、トグルスイッチ等のスイッチ３６などで構成してよい。
【００１９】
そしてこれらの回路基板、とりわけデジタル基板３２は、ベース３１の段部３１１側の端辺において、段部３１１と回路基板の辺３２３の間に空隙を有するように、固定用突起を貫通する透孔部３１２側に寄せて配置されている。そして、段部３１１側の辺と透孔部３１２側に辺において、調整手段３５、３６がベース３１の中で行えるように段部３１１との間に空隙、即ちスイッチ操作、コネクタ接続あるいは配線固定等の作業空間を有する辺３２３に配置され、使用開始又は使用条件の変更に伴って調整手段３５、３６が操作又は接続できるように構成されている。一方、デジタル基板３２の信号授受の端子部３７はベース３１の一辺３１３に沿うように端縁付近に配置され、ベース３１の折り曲げ部又はベース３１端縁に略直立して設けられたガイド３８で端子部３７が補強されている。このようにベース３１の位置を基板位置より低くして基板を覆う基板カバー３４との空間を有効に活用し、ＶＴＲ等の他の機器との接続を容易にすると共にコード等の引張りに対して端子部を保護することが出来る。
【００２０】
このように、液晶セル１０と照明手段１１とからなり背面に複数の固定用突起２１、２２を有した液晶モジュール１と、液晶モジュール１の背面に固定された回路手段３を有する。そのうち回路手段３は、主面３１０が固定用突起の先端を結んで出来る平面より液晶モジュール背面側に位置するように取り付けられたベース３１上に固定された回路基板３２、３３を有している。またベース３１は固定用突起２１の略先端に被さる固定部を隅部に設けた段部３１１と、段部３１１と対向する隅部に別の固定用突起２２を貫通するような透孔部３１２とを有している。その段部３１１で固定用突起２１に固定されるとともに透孔部３１２においてベース３１に固定された回路基板を覆う基板カバー３４の舌片３４１で固定用突起２２に固定されている。また回路基板３２として少なくとも透孔部３１２側に寄せて配置され、段部３１１側の辺に調整手段３５、３６を持ち、透孔部３１２側に辺に沿って配置された信号授受の端子部３７をもつデジタル基板がある。
【００２１】
上記の実施形態は、ベース３１を貫通した固定用突起２２に基板カバー３４の舌片３４１をネジ止めする構成としたが、図５に示すように、ベース３１の側面を折り曲げて舌片３１４を形成し、この舌片３１４をベース３１を貫通した固定用突起２２の先端に固定する構成とすることもできる。この場合、基板カバー３４は、別の位置でベース３１にネジなどを用いて固定される。
【００２２】
【発明の効果】
このような構成により、本発明の液晶表示装置は、アナログデジタル処理部を持ちながら、回路基板は液晶モジュール背面から突出して取り付けられるとはいうものの基板表面が固定用突起の先端と略同じ高さとなるので薄型である。またベースと基板カバーでユニットかが可能なので、固定した基板の回路パターンが剥離したり、部品が突出しているために搬送中などに他のものにあたって損傷したりすることなく堅牢で、さらに回路基板の取り付け取り外し・配線接続が容易である。
【００２３】
また、デジタル基板３２の調整手段３５、３６は、調整等がベース３１の中で行えるように、段部３１１に向かう辺３２３に配置されている。一方、デジタル基板３２の１辺３２３はベース３１の端縁近辺に、その端縁に沿うように配置され、信号授受の端子部３７は、デジタル基板３２のベース端縁に沿った辺３２３の近傍に設けられている。さらに、ベースの折り曲げ部又はベース端縁に略直立して設けられたガイド３８で直接に又は間接的に端子部を補強している。これらの構成により、端子や調整手段の配置も接続や調整が容易で、そのために必要な配線処理などが無理なく行え、配線材の極端な折り曲げやコネクタへのストレス無く行える。
【図面の簡単な説明】
【図１】本発明実施例の液晶表示装置の側面断面図である。
【図２】図１のＡ方向から観察した回路手段の斜視図である。
【図３】図１のＢ方向から観察した回路手段の要部斜視図である。
【図４】回路手段の基板カバー（覆う部品）を外した状態の平面図（集積回路素子などの搭載電子部品と回路パターンを除く）である。
【図５】回路手段の別の実施形態を示す要部斜視図である。
【符号の説明】
１　　液晶モジュール
１０　　液晶セル
１１　　照明手段
２１、２２　　固定用突起
３　　回路手段
３１　　ベース
３１０　　主面
３１１　　段部
３１２　　透孔部
３２、３３　　回路基板
３５、３６　　調整手段
３７　　端子部
【図１】
2004144910.tif 000003
【図２】
2004144910.tif 000004
【図３】
2004144910.tif 000005
【図４】
2004144910.tif 000006
【図５】
2004144910.tif 000007